(57)【要約】      （修正有）【課題】現在のモバイル通信規格およびデュプレックス方式と互換性があり、従来に比べより複雑性の低いモバイル通信装置を提供する。【解決手段】モバイル通信装置ＭＦＧは、１つのアンテナＡ１、１つの送受信回路ＴＳおよびアンテナと送受信回路との間に回路接続されたＲＦフィルタＦを備える。送受信回路は、第１のＲＦ信号を伝送するための１つの第１のポートＰ１、第２のＲＦ信号を伝送するための１つの第２のポートＰ２とを備える。第２のＲＦ信号は、第１のＲＦ信号と異なる。ＲＦフィルタは、アンテナに接続された１つのアンテナポートＡＰと、送受信回路に接続された送受信ポートＴＰとを備える。【選択図】図１
2020123968.tif 000002
【特許請求の範囲】
【請求項１】
モバイル通信装置（ＭＦＧ）であって、
１つのアンテナ（Ａ１），１つの送受信回路（ＴＳ），および当該アンテナ（Ａ１）と当該送受信回路（ＴＳ）との間に回路接続されたＲＦフィルタ（Ｆ）を備え、
前記送受信回路（ＴＳ）は、第１のＲＦ信号を伝送するための１つの第１のポート（Ｐ１）と、当該第１のＲＦ信号と異なる第２のＲＦ信号を伝送するための１つの第２のポート（Ｐ２）を備え、
前記ＲＦフィルタ（Ｆ）は、前記アンテナ（Ａ１）に接続された１つのアンテナポート（ＡＰ）と、前記送受信回路（ＴＳ）に接続された送受信ポート（ＴＰ）とを備え、
前記ＲＦフィルタ（Ｆ）の送受信ポート（ＴＰ）は、前記送受信回路（ＴＳ）の前記第１のポート（Ｐ１）および前記第２のポート（Ｐ２）に接続されている、
ことを特徴とするモバイル通信装置。
【請求項２】
前記第１のＲＦ信号および前記第２のＲＦ信号は、異なるデュプレックス方式を用いることを特徴とする、請求項１に記載のモバイル通信装置。
【請求項３】
前記第１のＲＦ信号および前記第２のＲＦ信号は、異なるモバイル通信規格に従っていることを特徴とする、請求項１または２に記載のモバイル通信装置。
【請求項４】
前記第１のＲＦ信号および前記第２のＲＦ信号は、１つの共用の周波数を有する周波数バンド（複数）で伝送されることを特徴とする、請求項１乃至３のいずれか１項に記載のモバイル通信装置。
【請求項５】
前記第１のＲＦ信号および前記第２のＲＦ信号は、１１％の最大相対バンド幅を有する１つの周波数バンドで伝送されることを特徴とする、請求項１乃至４のいずれか１項に記載のモバイル通信装置。
【請求項６】
前記ＲＦフィルタ（Ｆ）は、ＳＡＷフィルタ，ＢＡＷフィルタ，ＧＢＡＷフィルタから選択されることを特徴とする、請求項１乃至５のいずれか１項に記載のモバイル通信装置。
【請求項７】
前記ＲＦフィルタ（Ｆ）は、１つの圧電材料と当該圧電材料上の１つの電極パターンとを備え、
前記電極パターンは、前記ＲＦフィルタのバンド幅が前記第１のＲＦ信号および前記第２のＲＦ信号の２つのバンド幅の小さい方より大きくなるように、前記圧電材料上に配設されかつ前記圧電材料の配向が選択されている、
ことを特徴とする、請求項６に記載のモバイル通信装置。
【請求項８】
前記ＲＦフィルタの前記送受信ポート（ＴＰ）は、前記送受信回路のポート（Ｐ１，Ｐ２）に接続されており、
前記送受信回路は、以下のバンド
−バンド３３とバンド３９の組合せ、または
−バンド３３とバンド３７とバンド３９の組合せ、または
−バンド３３とバンド３５とバンド３９の組合せ、または
−バンド３３とバンド３５とバンド３７の組合せ、または
−バンド３６とバンド３７とバンド１９００の組合せ、または
−バンド３３とバンド３６とバンド３７とバンド１９００の組合せ、または
−バンド３５とバンド１８００の組合せ、または
−バンド３３とバンド３５とバンド３９とバンド１８００の組合せ、または
−バンド３３とバンド３５とバンド３７と
−バンド３９とバンド１８００の組合せ、または
−バンド３４とバンド３６とバンド１９００の組合せ、または
−バンド３４とバンド３６とバンド３７とバンド１９００の組合せ、または
−バンド３３とバンド３４とバンド３６とバンド３７とバンド１９００の組合せ、
のＴｘ信号およびまたはＲｘ信号の伝送のために設けられていることを特徴とする、請求
項１乃至７のいずれか１項に記載のモバイル通信装置。
【請求項９】
請求項１乃至８のいずれか１項に記載のモバイル通信装置（ＭＦＧ）を動作させるため
の方法であって、
前記ＲＦフィルタ（Ｆ）が、前記第１のＲＦ信号および前記第１の信号と異なる前記第
２のＲＦ信号により同時に、あるいは順次動作されることを特徴とする方法。
【請求項１０】
異なる多重化方法および／または異なるモバイル通信規格用の１つのモバイル通信装置
における１つの単一のＲＦフィルタの使用。
【発明の詳細な説明】
【技術分野】
【０００１】
本発明は、共通に使用されるフィルタを有するモバイル通信装置に関し、この共通に使用されるフィルタは、少なくとも２つの異なる動作モードに用いられる。さらに本発明は、モバイル通信装置の動作方法および少なくとも２つの異なる動作モード用のＲＦフィルタの使用に関する。
【背景技術】
【０００２】
全世界でモバイル通信装置（複数）に割り当てられている周波数領域は、多数の周波数バンドを含む。競争力を高めるため、最近のモバイル通信で用いることができなければならない、多数の異なるモバイル通信規格およびデュプレックス方式がある。同時に、常に進歩するモバイル通信装置に組み込まれる電子部品の小型化のトレンドがあり、これらの電子部品に上記の規格およびデュプレックス方式が用いられる。
【０００３】
ヨーロッパにおける現在のモバイル通信規格はＧＳＭ（Global System for Mobile communication、登録商標）とＵＭＴＳ（Universal Mobile Telecommunications Systems）である。現在のデュプレックス方式は、送信信号と受信信号は基本的に同時で、ただし異なる周波数で搬送されるＦＤＤ方式（Frequency Division Duplexing）、送信信号と受信信号が順次続いたタイムスロットで交互に搬送されるＴＤＤ方式（ＴＤＤ = Time Division Duplexing）、および送信信号と受信信号が、異なる周波数においても搬送され、またタイムスロットにおいても順次搬送されるＧＳＭ規格のデュプレックス方式である。
【０００４】
その構造は出来る限り小さくなければならず、たとえば特許文献１にはマルチバンド動作および／またはマルチモード動作のための回路素子（複数）の一体化のための方法が開示されてはいるが、しかしながら上記の理由のため、このモバイル通信装置は優に１０個以上のＲＦフィルタを備え得る。
【０００５】
これらの相反するトレンドは、クロストークの危険性が常に増大するという結果を生じ、すなわち信号路のノイズ信号が他の信号路とカップリングし、また複雑な回路を使用することによる高コストが生じる結果となる。
【先行技術文献】
【特許文献】
【０００６】
【特許文献１】ドイツ特許出願公開第１００５３２０５Ａ１号公報
【発明の概要】
【発明が解決しようとする課題】
【０００７】
したがって本発明の課題は、現在のモバイル通信規格およびデュプレックス方式と互換性のあるモバイル通信装置を提供することであり、ただし公知の装置より複雑性の低いことを特徴とし、したがってより故障せずに動作しかつ安価に製造できる装置を提供することである。さらに本発明の課題は、このようなモバイル通信装置の製造方法を提供することである。
【課題を解決するための手段】
【０００８】
これらの課題は独立請求項に記載の発明により解決される。従属項は有利な実施例を提示する。
【０００９】
モバイル通信装置は、１つのアンテナ，１つの送受信回路，およびこのアンテナと送受信回路との間に回路接続されたＲＦフィルタを備える。この送受信回路は、第１のＲＦ信号を伝送するための１つの第１のポートと、第２のＲＦ信号を伝送するための１つの第２のポートとを備える。ここでこの第２のＲＦ信号は、第１のＲＦ信号と異なっている。上記のＲＦフィルタは、上記のアンテナに接続された１つのアンテナポートと、上記の送受信回路に接続された送受信ポートとを備える。
【００１０】
上記のＲＦフィルタの送受信ポートは、上記の送受信回路の第１のポートおよび第２のポートに接続されている。
ここで上記のアンテナは、ＲＦ信号の送信または受信に用いられる。上記の送受信回路は、その送信信号路（複数）に回路接続されている電力増幅器，および受信信号路（複数）に回路接続され得る低ノイズ増幅器（英語：low noise amplifier）のような回路部品を備えてよい。上記のＲＦフィルタは、モバイル通信装置のアンテナまたは場合によってはモバイル通信装置の複数のアンテナを上記の送受信回路の対応するポートに接続する、フロントエンド回路の一部となっている。上記の一方側のアンテナとＲＦフィルタの間の接続、あるいはもう一方側のＲＦフィルタと送受信回路の間の接続は、これらのそれぞれの素子が直に互いに回路接続されていることを意味するものであってよい。同様にさらなる回路素子、たとえばインピーダンスマッチング素子，デュプレクサ，ダイプレクサ，アンテナ回路，またはさらなるフィルタが、上記のアンテナと上記の送受信回路との間のこれらの信号路に回路接続されていてよい。
【００１１】
こうして１つのモバイル通信装置が得られ、このモバイル通信装置では、上記の送受信回路の２つの異なるポートが、１つの同一のＲＦフィルタを介して上記のアンテナに接続されている。モバイル通信用にグローバルに提供されている無線周波数のバンド幅は非常に大きいが、異なるモバイル通信規格またはデュプレックス方式の個々の周波数バンドにはオーバラップがある。まさにこのような１つの同一または同様な周波数の異なる信号のＲＦフィルタの使用により、上記のフロントエンド回路の複雑さおよびこれによるモバイル通信装置の複雑さが減少され、以上によりＲＦフィルタの数が低減されることが知られている。さらに１つの送受信チップ、すなわち上記の送受信回路の少なくとも一部が実現されているチップ上での必要なピン数が低減される。さらにもしバンド選択スイッチの複雑さがあれば、これも低減される。
【００１２】
減少したピン数，低減されたＲＦフィルタの数，およびバンド幅選択スイッチの低減された複雑さにより、この装置の信号路を伝播するＲＦ信号の信号品質は基本的に改善される。とにかくここで注目すべきは、二重または多重に使用されたＲＦフィルタがモバイル通信装置およびデュプレックス方式の仕様に従わなければならないことである。むしろここではフィルタの設計が注意深く行われなければならず、かつその物理的な実現が、より小さな許容誤差の傾向によって困難になっているという、このＲＦフィルタへの部分的に相反する要求が提示されている。
【００１３】
１つの実施形態においては、上記の第１のＲＦ信号は上記の第２のＲＦ信号から、これらが異なるデュプレックス方式を使用することにより区別される。
【００１４】
デュプレックス方式としては、周波数分割デュプレックス方式（たとえばＦＤＤ方式），時分割デュプレックス方式（たとえばＴＤＤ方式），ＧＳＭシステムに用いられている周波数分割と時分割の組合せ方式，たとえばＣＤＭＡ（ＣＤＭＡ＝Code Division Multiple Access）または偏光マルチプレックス方式のような符号デュプレックス方式がある。
【００１５】
１つの実施形態においては、上記の第１および第２のＲＦ信号は異なるモバイル通信規格に属している。モバイル通信規格としては、たとえばＡＭＰＳ（Advanced Mobile Phone Service），ＤＥＣＴ（Digital Enhanced Cordless Telecommunications），GSM（Global System for Mobile communications），ＬＴＥ（Long-Term Evolution），ＰＣＮ（ersonal Communication Network），ＰＤＣ（Personal Digital Cellular），ＲＴＭＳ（Radio Telephone Mobile System），ＣＴ１またはＣＴ１＋またはＣＴ２（Cordless Telephone），またはＵＭＴＳ（Universal Mobile Telecommunications System），ＷＬＡＮ（Wireless Local Area Network），ＷｉＭＡＸ（Worldwide inter-operability for Microwave Access），ＩＭＴ−Ａｄｖａｎｃｅｄ（International Mobile TelecommunicationsAdvanced）等の規格がある。
【００１６】
１つの実施形態においては、上記の第１および第２のＲＦ信号は、１つの共用の周波数を有する周波数バンド（複数）で伝送され、すなわちこれらの第１および第２のＲＦ信号の周波数バンドは、この第１のＲＦ信号の周波数バンドの一部およびこの第２のＲＦ信号の周波数バンドの一部が１つの共用の周波数となっているように、オーバーラップしている。
【００１７】
一般的にこれらの第１のＲＦ信号と第２のＲＦ信号の周波数バンド（複数）は、これらを同一とすることは技術的に可能かも知れないが、同一ではない。むしろ上記のＲＦフィルタは、この第１のＲＦ信号もまたこの第２のＲＦ信号もこのフィルタを通過できるように構成されていなければならない。この第１のＲＦ信号の周波数バンドにも、またこの第２のＲＦ信号の周波数バンドにも属さない周波数成分を有する、他の望ましくないＲＦ信号は、このＲＦフィルタを通過することができない。このため有利にはこのＲＦフィルタは、これら２つのＲＦ信号の周波数バンドを含む通過バンドを有するバンドパスフィルタである。
【００１８】
この際広い通過バンドを有するバンドパスフィルタの実現は簡単ではない。上記の２つのＲＦ信号の周波数を含まなければならない周波数バンドは、通常はこれら２つのＲＦ信号のそれぞれの個別の周波数バンドより広いので、モバイル通信装置の開発者には難しい技術的な問題が提示されている。これはこのＲＦフィルタが最終的に、通過バンドにおける近接周波数選択度，離間周波数選択度，挿入損失，および通過バンドスロープの幅に関する仕様を満足しなければならないからである。
【００１９】
大きなバンド幅のＲＦフィルタでの問題は、これらに付随するＱ値である。相対バンド幅が５％から１１％に増大すると、このＱ値は約９００から約３００に低下する。このため、仕様で要求されているＱ値に対応して、５％，８％，１０％，または１１％の最大バンド幅は可能な組み合わせが制限され得る。
【００２０】
１つの実施形態においては、上記の第１および第２のＲＦ信号は、１１％の最大相対バンド幅を有する１つの周波数バンドで伝送される。ここでこの周波数バンドは、いわゆる共用の周波数バンドであり、上記の第１および第２のＲＦ信号の周波数をサブセット（Teilmengen）として含んでいる。
【００２１】
ここで相対バンド幅ＲＢは、以下のようにして％で定義される。
ＲＢ＝２００＊（ｆｏＢ−ｆｕＢ）／（ｆｏＢ＋ｆｕＢ）
ここでｆｏＢは上側のエッジ周波数（Bandkante）であり、ｆｕＢは下側のエッジ周波数である。
【００２２】
たとえば電子音響的に活性なデバイスは、最適な動作パラメータおよび設計パラメータの式が見出し得る場合、このような広い通過バンドの実現可能性を提供できることが知られている。
【００２３】
第１および第２のＲＦ信号で共用される、簡単に構築できるＲＦフィルタは、しかしながら小さな相対バンド幅、たとえば２，４，６，８，または１０％の値を有するバンド幅を有してもよい。
【００２４】
１つの実施形態においては、上記のＲＦフィルタは、ＳＡＷフィルタ（ＳＡＷ＝Surface Acoustic Wave＝akustische Oberflachenwelle），ＢＡＷフィルタ（ＢＡＷ＝Bulk Acoustic Wave＝akustische Volumenwelle），ＧＢＡＷフィルタ（ＧＢＡＷ＝Guided Bulk Acoustic Wave＝gefuhrte akustische Volumenwelle）から選択される。
【００２５】
このようなＲＦフィルタは、電極パターン（複数）および圧電材料で動作し、ここで電磁的ＲＦ信号は音響波に変換され、また逆に変換される。
【００２６】
このような電子音響フィルタの１つの実施形態においては、上記のＲＦフィルタは、１つの圧電材料およびこの圧電材料上の１つの電極パターンを備える。２つの大面積で形成された電極パターンの間の１つの圧電材料が１つのＢＡＷデバイスに配設されることも可能である。この電極パターンは、このＲＦフィルタのバンド幅（すなわち「共用のバンド幅」）が上記の２つのＲＦ信号の２つのバンド幅の小さい方より大きくなるように、この圧電材料上に配設され、かつこの圧電材料の配向が選択されている。
【００２７】
ここでこの圧電材料の配向、すなわち圧電軸の向きあるいはこのデバイス全体の座標系に対しまた上記の電極パターンに対して相対的な、圧電材料の単位格子の軸の向きは、オイラー角によって与えられ得る。オイラー角の適切な選択は、他の電子音響的特性が大きく損なわれることなく、充分に大きなバンド幅を可能とする。
【００２８】
１つの実施形態においては、上記のＲＦフィルタの送受信ポートは、送受信回路に接続され、ここでこのフィルタに接続された送受信回路の２つ以上のポートが、以下のバンドのＴＸ信号（送信信号）および／またはＲＸ信号（受信信号）の伝送のために設けられている。
−バンド３３とバンド３９の組合せ、または
−バンド３３とバンド３７とバンド３９の組合せ、または
−バンド３３とバンド３５とバンド３９の組合せ、または
−バンド３３とバンド３５とバンド３７の組合せ、または
−バンド３６とバンド３７とバンド１９００の組合せ、または
−バンド３３とバンド３６とバンド３７とバンド１９００の組合せ、または
−バンド３５とバンド１８００の組合せ、または
−バンド３３とバンド３５とバンド３９とバンド１８００の組合せ、または
−バンド３３とバンド３５とバンド３７とバンド３９とバンド１８００の組合せ、または
−バンド３４とバンド３６とバンド１９００の組合せ、または
−バンド３４とバンド３６とバンド３７とバンド１９００の組合せ、または
−バンド３３とバンド３４とバンド３６とバンド３７とバンド１９００の組合せ。
【００２９】
すなわち、１つの同一のＲＦフィルタを介して、バンド３３のＲＦ信号が第１の信号として、かつバンド３９の信号が第２の信号として（これは最初に提示されたバンドの組合せである）、特に用いられ得る。
【００３０】
ここでバンド番号１〜２６は、以下の表に基づくＦＤＤ方式のバンドを示している。
2020123968.tif 000003
【００３１】
ＦＤＤ方式においては、送信信号および受信信号用に異なる周波数が用いられているので、各々のバンドに対してそれぞれの送信周波数（ＴＸ）および受信周波数（ＲＸ）が与えられることになる。
【００３２】
純粋なＴＤＤ方式においては、異なるタイムスロットで送信される送信信号および受信信号のおかげで、同じ周波数が用いられる。これに対応応して、以下の表でバンド３３〜４３の送信周波数あるいは受信周波数が示されている。
2020123968.tif 000004
【００３３】
ＧＳＭ規格においては、送信信号および受信信号は、異なる周波数でもまた異なる時間スロットでも送信あるいは受信される。先ず第一に重要なことは、以下に示される受信周波数バンドである。
2020123968.tif 000005
【００３４】
バンド（複数）が互いに近接しているか、またはこれらのバンドが実際重なっている場合、フィルタの数を低減するために、これらの周波数を１つの同一のＲＦフィルタを介して伝送することが考えられる。特に上記の組合せが、見易いように以下に示す表に再度まとめられている。
2020123968.tif 000006
【００３５】
上述のモバイル通信装置の実施形態例の１つを動作させるための１つの方法は、上記のＲＦフィルタが、上記の第１のＲＦ信号および上記の第１のＲＦ信号と異なる第２のＲＦ信号により同時に、あるいは順次動作されるように実施される。
【００３６】
換言すれば、第１のＲＦ信号および／または第２のＲＦ信号は、同時にあるいはタイムロットで次々にこのＲＦフィルタを通って送受信回路からアンテナにあるいはこのアンテナから送受信回路に送り込まれる。
【００３７】
このようにＲＦ信号用に１つのモバイル通信装置に１つの単一のＲＦフィルタを用いることは、事実上可能であり、このモバイル通信装置の複雑さを低減し、またこれによりこのモバイル通信装置の製造コストを低減する。ここで上記のＲＦ信号は、異なる多重化方法および異なるモバイル通信規格に従っている。
【００３８】
以下では、概略図と代表的な実施形態例を参照して、本発明を詳細に説明する。
【図面の簡単な説明】
【００３９】
【図１】１つのモバイル通信装置ＭＦＧの概略構造を示す。
【図２】ＲＦフィルタがバンドパスフィルタとして構成されている１つの実施形態を示す。
【図３】フィルタとアンテナとの間に１つの周波数切替器（Frequenzweiche）を有する１つの実施形態を示す。
【図４】さらなる信号路（複数）および１つのバンド選択スイッチを有する１つの実施形態を示す。
【図５】複数の信号路を有する１つの実施形態を示す。
【図６】ＲＦフィルタがデュプレクサの一部となっている１つの実施形態を示す。
【図７】２つのアンテナを有する１つのモバイル通信装置の１つの実施形態を示す。
【図８】複数の従来の周波数バンドを含む、互いに相対的にまた適宜拡大された周波数バンドの隣接する周波数領域の配置を示す。
【００４０】
図１は、１つのＲＦフィルタＦ，１つの送受信回路ＴＳ，およびポート（複数）を有し、これらのポートを介してこれらのフィルタと送受信回路とが接続されている、１つのモバイル通信装置ＭＦＧを示す。特にこのモバイル通信装置は、１つのアンテナポートＡＰと１つの送受信ポートＴＰを備える。このＲＦフィルタＦは、このアンテナポートを介して、１つのアンテナに接続されている。その送受信ポートを介して、このＲＦフィルタＦはこの送受信回路ＴＳのポート（複数）に接続されている。具体的にはこの送受信回路は、１つの第１のポートＰ１と１つの第２のポートＰ２とを備え、これらを介してこのフィルタの送受信ポートがこの送受信回路と接続されている。図１に示す実施形態は、上記のアンテナおよび送受信回路との上記のフィルタの直接的な回路接続を示す。代替として別の回路素子が、インピーダンスマッチングを行うためまたは別のフィルタ機能を実現するために、上記のアンテナと上記の送受信回路との間に回路接続されていてよい。
【００４１】
図２は、ＲＦフィルタＦがバンドパスフィルタＢＰＦとして実装されている１つの実施形態を示す。ここではこのバンドパスフィルタＢＰＦは、前記の第１のＲＦ信号および前記の第２のＲＦ信号が通過することができるように構成された通過バンドを有する。
【００４２】
図３は、ＲＦフィルタＦとアンテナとの間に１つの周波数切替器Ｗが回路接続されている、１つの実施形態を示す。こうしてこの周波数切替器Ｗは、異なる信号路を同一のアンテナに接続することができる。ここでこの周波数切替器Ｗは、ダイプレクサとして，デュプレクサとして，またはバンド選択フィルタとして構成されていてよい。もう１つの信号路において、このモバイル通信装置は、もう１つのバンドパスフィルタを備え、このバンドパスフィルタはＲＦフィルタＦに対し並列に回路接続されており、かつアンテナの送受信回路との間で送信信号または受信信号を伝送することを可能とする。
【００４３】
図４は、上記の周波数切替器Ｗがバンド選択スイッチＳとして構成されている、１つの実施形態を示し、このバンド選択スイッチを介して上記のアンテナは任意に３つの並列信号路の１つを、あるいはもっと一般的には複数の並列な信号路の１つを、上記のアンテナから上記の送受信回路ＴＳに回路接続することができる。
【００４４】
図５は、上記のＲＦフィルタＦが、対称的に（バランスで）実装された信号導体路を介して、１つの低雑音増幅器ＬＮＡの対応ポート（複数）に回路接続されている、１つの実施形態を示す。基本的に問題となるのは、非対称に（アンバランスで）実装された信号導体路（複数）であり、これらにおいてはＲＦ信号が１つの基準電位に対して伝送される。バランス実装された信号導体路は、２つの並列の導体路部分を備え、ここで各々の導体路部分にはそれぞれの他の伝送信号に対し相対的に１８０°の位相差のＲＦ信号が伝送される。このようなバランス実装された信号導体路は、コモンモードノイズに対しより低感度である。
【００４５】
本発明によるモバイル通信装置は、以上に示されたＲＦフィルタの他に、第１のモードと第２のモードとの異なるＲＦ信号を有するアプリケーションで共用で用いられる、さらなるＲＦフィルタＦ２を備えてよい。
【００４６】
さらに本発明によるモバイル通信装置は、複数のさらなるフィルタを並列の信号路に備えてよく、これにより複数の送信規格および多重化方法を取り扱うことができる。
【００４７】
図６は、上記のＲＦフィルタＦが１つのデュプレクサＤＵの送信フィルタＦＲＸとして構成されている、１つの実施形態を示す。この受信フィルタＦＲＸを介して、たとえばＦＤＤバンド２およびＧＳＭ１９００の受信信号、およびＴＤＤバンド３６の信号が伝播可能である。
【００４８】
図７は、モバイル通信装置ＭＦＧが、アンテナＡ１の他に、もう１つのアンテナＡ２を備える、１つの実施形態を示し、この実施形態によりたとえば追加的な周波数バンド（複数）、たとえば２．７ＧＨｚ帯でのＲＦ信号を送信および受信することができる。ここで１つのＲＦフィルタの共用は、さらなるアンテナ，さらなる信号路，およびさらなるフィルタおよび送受信回路、および１つの共用の送受信回路の部分によって妨害されない。上記の、異なる周波数バンド用に異なる多重化方法あるいは異なる送信規格が用いられることは、モバイル通信装置の他の一般的な回路素子にも適合するものであり、こうして別のフィルタへのマッチングに関するコスト、場合によってはインピーダンスマッチングのコストが低くなる。
【００４９】
図８は、代表的なＴＤＤ周波数バンドおよび／またはＧＳＭ周波数バンドの相対位置を示す。斜線で示された周波数バンドは、その周波数領域に２つ以上の代表的な周波数バンドを含んでいる。各々の組み合わされた周波数バンドに付随する参照番号は、当然これらの周波数バンドを示している。このように図８は上記の表に示されたバンド組合せを図示するものである。
【符号の説明】
【００５０】
１８００  ：  ＧＳＭ  ＲＸバンド  １８００
１９００  ：  ＧＳＭ  ＲＸバンド  １９００
３３−３９：  ＴＤＤバンド
Ａ１      ：  アンテナ
Ａ２      ：  アンテナ
ＡＰ      ：  ＲＦフィルタのアンテナポート
ＢＰＦ    ：  バンドパスフィルター
ＤＵ      ：  デュプレクサ
Ｆ        ：  ＲＦフィルタ
Ｆ２      ：  さらなる共用のＲＦフィルタ
ＦＲＸ    ：  受信フィルタ
ＦＴＸ    ：  送信信号フィルタ
ＬＮＡ    ：  低雑音増幅器
ＭＦＧ    ：  モバイル通信装置
Ｐ１      ：  送受信回路の第１のポート
Ｐ２      ：  送受信回路の第２のポート
ＰＡ      ：  送信信号路における電力増幅器
Ｓ        ：  バンド選択スイッチ
ＴＰ      ：  ＲＦフィルタの送受信ポート
ＴＳ      ：  送受信回路
Ｗ        ：  周波数切替器
【図１】
2020123968.tif 000007
【図２】
2020123968.tif 000008
【図３】
2020123968.tif 000009
【図４】
2020123968.tif 000010
【図５】
2020123968.tif 000011
【図６】
2020123968.tif 000012
【図７】
2020123968.tif 000013
【図８】
2020123968.tif 000014
【外国語明細書】
2020123968000001.pdf